(57)【特許請求の範囲】
【請求項１】
天井面等の被取付部に取り付けられるＬＥＤランプ本体と、
前記ＬＥＤランプ本体を覆う透光性カバーとを備えたＬＥＤ照明装置であって、
前記ＬＥＤランプ本体は、
ベース部材と、
前記ベース部材を天井面等の被取付部の配線器具に取り付けられたアダプタに取付ける取付部分と、
前記ベース部材の背面側に設置された電源カバーと、
前記電源カバーに配設される点灯基板と、
前記ベース部材の前面側に配設されるＬＥＤ素子を実装したＬＥＤ基板とから成り、
前記取付部分は、前記電源カバーと前記ベース部材との間に挟まれるアダプタ受け部材を有し、前記アダプタ受け部材は、前記電源カバーの電源カバー背面壁より前面側に向かって縮閉するように傾斜状をなして設けられた電源カバー内側壁により形成された電源カバー内縁部に固定されていることを特徴とするＬＥＤ照明装置。
【請求項２】
請求項１に記載されたＬＥＤ照明装置であって、前記アダプタ受け部材は、合成樹脂から形成されていることを特徴とするＬＥＤ照明装置。
【請求項３】
請求項１又は請求項２のいずれかに記載されたＬＥＤ照明装置であって、
前記点灯基板は、前記電源カバーの前面側に配設されていることを特徴とするＬＥＤ照明装置。
【請求項４】
請求項１乃至請求項３のいずれかに記載されたＬＥＤ照明装置であって、前記ＬＥＤ基板は、部分的に前記点灯基板と直交する方向において位置するようにベース部材に配設されていることを特徴とするＬＥＤ照明装置。
【請求項５】
請求項１乃至請求項４のいずれかに記載されたＬＥＤ照明装置であって、前記ベース部材は、リブを有することを特徴とするＬＥＤ照明装置。
【請求項６】
請求項５に記載されたＬＥＤ照明装置であって、前記リブは、前記ＬＥＤランプ本体の厚み方向において前記ＬＥＤランプ本体を貫くように前記ＬＥＤランプ本体と直交する中心軸を中心とする略円形の形状を有する周方向リブを備えていることを特徴とするＬＥＤ照明装置。
【請求項７】
請求項５又は請求項６のいずれかに記載されたＬＥＤ照明装置であって、前記リブは、前記ＬＥＤランプ本体の厚み方向において前記ＬＥＤランプ本体を貫くように前記ＬＥＤランプ本体と直交する中心軸から前記ＬＥＤランプ本体の外周に向けて延びる放射線上に設けられている放射方向リブを備えていることを特徴とするＬＥＤ照明装置。
【請求項８】
請求項１乃至請求項７のいずれかに記載されたＬＥＤ照明装置であって、前記取付部分にはセンターカバーが固定され、前記センターカバーは、センターカバー本体とセンターカバー蓋から成り、前記センターカバー本体の前面側開放口と前記センターカバー蓋の一部分が回動可能に接続されて、前記センターカバー蓋は前記センターカバー本体に嵌め込まれて固定されていることを特徴とするＬＥＤ照明装置。
【請求項９】
請求項８に記載されたＬＥＤ照明装置であって、前記センターカバー蓋の中央に常夜灯が配設されていることを特徴とするＬＥＤ照明装置。
【請求項１０】
請求項９に記載されたＬＥＤ照明装置であって、前記センターカバー蓋の裏側に基板が設置されて、前記基板にリモートコントローラのチャンネルを設定するチャンネルスイッチと、前記リモートコントローラからの信号を受信する受光部と、常夜灯が一体化されて配設されていることを特徴とするＬＥＤ照明装置。
【請求項１１】
請求項１乃至請求項１０のいずれかに記載されたＬＥＤ照明装置であって、前記ＬＥＤ基板は、略円弧形状の複数の基板を連結して略サークル形状に形成され、前記略サークル形状の中心部側で隣接するＬＥＤ基板と互いに接続されていることを特徴とするＬＥＤ照明装置。
【請求項１２】
請求項１乃至請求項１１のいずれかに記載されたＬＥＤ照明装置であって、前記透光性カバーの外形は、前記ベース部材の外形よりも大きく構成されていることを特徴とするＬＥＤ照明装置。
【発明の詳細な説明】
【技術分野】
【０００１】
本発明は、ＬＥＤ素子を光源に使用したＬＥＤ照明装置に係り、特に天井に設置された配線器具に接続される天井直付け型シーリングライトにおいて、配線器具とＬＥＤ照明装置を接続するアダプタを取付ける取付部分の構成を改良したＬＥＤ照明装置に関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井直付け型のシーリングライトや、天井から吊り下げられて室内を照らす吊下げ型照明機器においても、ＬＥＤ素子を使用した照明装置が開発され、市場に導入されてきている。
【０００３】
このような天井直付けシーリングライトは、天井面に取り付けられた引掛シーリングボディ等の配線器具に、アダプタを取り付けた照明装置を装着するものであり、特に最近は厚みの薄いシーリングライトが検討されている（例えば、特許文献１、２、３、４等参照）。
【０００４】
具体的には、例えば、特許文献１に記載されている照明装置は、複数のＬＥＤ素子を光源とし、基板と基板表面に実装された複数のＬＥＤ素子を一体に覆う透光性カバー部材を有し、ＬＥＤ素子を覆う部分の形状を、ＬＥＤ素子を略中心とする半球形状とする。それによって、ＬＥＤ素子から放射された光束の取り出し効率の高い照明装置が提供される。
【０００５】
また、特許文献２に記載されている照明装置は、天井に取付可能な器具本体と、器具本体の床側面において環状に設けられた複数のＬＥＤ発光部と床側凸部に収容され天井に器具本体を取り付けるための取付部と、床側凸部に収容され各ＬＥＤ発光部へ電力を供給する電源部と、各ＬＥＤ発光部を覆うように器具本体に取り付けられるカバーと、を備えたものであり、各ＬＥＤ発光部が、器具本体の床側面におけるカバーに近い位置に設けられ、輝度むらを防止できる照明器具が提供される。
【０００６】
しかしながら、これらの特許文献１、２に記載されている照明装置においては、それぞれ金属製の本体ベースに点灯回路基板が、放熱板に発光素子実装基板が固定されており、これらの本体ベースや放熱板の全部が金属材料により形成されているので、本体の軽量化を図ることが難しいと同時に、金属材料から形成された各部材の絞りによる曲げ加工を多数要し、コストダウンを図ることも難しい問題があった。
【０００７】
また、特許文献３に記載されている照明装置は、器具取付面に取付けるための取付部を備えて、取付部の周囲に配設された光源としての複数の発光素子を有し、この発光素子から出射される光が前面側へ向けられる光源部と、この光源部を点灯制御するとともに、取付部の周囲であって発光素子の内側に配設された回路部品を有して光源部の背面側へ離間距離を空けて配設されたものであり、光源部における発光素子と点灯装置における回路部品との相互の熱的干渉を抑制することができる照明器具が提供される。
【０００８】
しかし、この特許文献３に記載されている照明装置においては、取付部は、アダプタガイドで、本体の中央部に形成された開口に対応して配設され、取付部のみでアダプタガイドを構成しているので、取付部の厚さを薄くすることが難しく、コストダウンを図ることも難しくなる問題があった。
【０００９】
また、特許文献４に記載されている照明器具は、器具取付面に設置された配線器具に取付けられる取付部を有する本体と、取付部の外周側に配設される点灯装置と、前面側に実装面が設けられ点灯装置の外側に点灯装置と重なり合わないように裏面側が本体に配設された基板と、半径の異なる略同心円の円周上に複数の列をなし、略等間隔の離間距離において、基板に実装された発光素子とを具備している。それにより、簡素化された構成で、放熱構造を構成しやすく、発光素子から出射される光のイメージを均一化できる照明器具が提供される。
【００１０】
しかし、特許文献４に記載されている照明器具においては、金属材料の平板から円形状に形成された本体の中心部側上側に点灯装置が、本体の周囲下側に光源部が、重なり合わないように配設し、本体の外周縁部にカバー部材が取り付けられている。点灯装置と光源部を重なり合わないように本体に取り付けられているため、照明装置をコンパクトにするのが難しくなる問題があった。
【先行技術文献】
【特許文献】
【００１１】
【特許文献１】特開２０１３−２６５８８号公報
【特許文献２】特開２０１３−４５６３０号公報
【特許文献３】特開２０１３−３７８５２号公報
【特許文献４】特許第５１２６６３５号
【発明の概要】
【発明が解決しようとする課題】
【００１２】
本発明が解決しようとする課題は、上記の問題点に鑑み、コンパクトにするとともに、軽量化とコストダウンを実現することができ、広く均一に照らせる、天井面の配線器具に簡単に取り付けられるＬＥＤ照明装置を提供することにある。
【課題を解決するための手段】
【００１３】
本発明は、上記の課題を解決するための第１の手段として、天井面等の被取付部に取り付けられるＬＥＤランプ本体と、このＬＥＤランプ本体を覆う透光性カバーとを備えたＬＥＤ照明装置であって、ＬＥＤランプ本体は、ベース部材と、このベース部材を天井面等の被取付部の配線器具に取り付けられたアダプタに取付ける取付部分と、ベース部材の背面側に設置された電源カバーと、この電源カバーに配設される点灯基板と、ベース部材の前面側に配設されるＬＥＤ素子を実装したＬＥＤ基板とから成り、取付部分は、電源カバーとベース部材との間に挟まれるアダプタ受け部材を有し、このアダプタ受け部材は、電源カバーの電源カバー背面壁より前面側に向かって縮閉するように傾斜状をなして設けられた電源カバー内側壁により形成された電源カバー内縁部に固定されていることを特徴とするＬＥＤ照明装置を提供するものである。
【００１４】
本発明は、上記の課題を解決するための第２の手段として、上記第１の解決手段において、アダプタ受け部材は、合成樹脂から形成されていることを特徴とするＬＥＤ照明装置を提供するものである。
【００１５】
本発明は、上記の課題を解決するための第３の手段として、上記第１又は第２のいずれかの解決手段において、点灯基板は、電源カバーの前面側に配設されていることを特徴とするＬＥＤ照明装置を提供するものである。
【００１６】
本発明は、上記の課題を解決するための第４の手段として、上記第１乃至第３のいずれかの解決手段において、ＬＥＤ基板は、部分的に点灯基板と直交する方向において位置するようにベース部材に配設されていることを特徴とするＬＥＤ照明装置を提供するものである。
【００１７】
本発明は、上記の課題を解決するための第５の手段として、上記第１乃至第４のいずれかの解決手段において、ベース部材は、リブを有することを特徴とするＬＥＤ照明装置を提供するものである。
【００１８】
本発明は、上記の課題を解決するための第６の手段として、上記第５の解決手段において、リブは、ＬＥＤランプ本体の厚み方向においてＬＥＤランプ本体を貫くようにＬＥＤランプ本体と直交する中心軸を中心とする略円形の形状を有する環状リブを備えていることを特徴とするＬＥＤ照明装置を提供するものである。
【００１９】
本発明は、上記の課題を解決するための第７の手段として、上記第５又は第６のいずれかの解決手段において、リブは、ＬＥＤランプ本体の厚み方向においてＬＥＤランプ本体を貫くようにＬＥＤランプ本体と直交する中心軸からＬＥＤランプ本体の外周に向けて延びる放射線上に設けられている放射方向リブを備えていることを特徴とするＬＥＤ照明装置を提供するものである。
【００２０】
本発明は、上記の課題を解決するための第８の手段として、上記第１乃至第７のいずれかの解決手段において、取付部分にはセンターカバーが固定され、このセンターカバーは、センターカバー本体とセンターカバー蓋から成り、センターカバー本体の前面側開放口とセンターカバー蓋の一部分が回動可能に接続されて、センターカバー蓋はセンターカバー本体に嵌め込まれて固定されていることを特徴とするＬＥＤ照明装置を提供するものである。
【００２１】
本発明は、上記の課題を解決するための第９の手段として、上記第８の解決手段において、センターカバー蓋の中央に常夜灯が配設されていることを特徴とするＬＥＤ照明装置を提供するものである。
【００２２】
本発明は、上記の課題を解決するための第１０の手段として、上記第９の解決手段において、センターカバー蓋の裏側に基板が設置されて、基板にリモートコントローラのチャンネルを設定するチャンネルスイッチと、リモートコントローラからの信号を受信する受光部と、常夜灯が一体化されて配設されていることを特徴とするＬＥＤ照明装置を提供するものである。
【００２３】
本発明は、上記の課題を解決するための第１１段として、上記第１乃至第１０のいずれかの解決手段において、ＬＥＤ基板は、略円弧形状の複数の基板を連結して略サークル形状に形成され、この略サークル形状の中心部側で隣接するＬＥＤ基板と互いに接続されていることを特徴とするＬＥＤ照明装置を提供するものである。
【００２４】
本発明は、上記の課題を解決するための第１２の手段として、上記第１乃至第１１のいずれかの解決手段において、透光性カバーの外形は、ベース部材の外形よりも大きく構成されていることを特徴とするＬＥＤ照明装置を提供するものである。
【発明の効果】
【００２５】
本発明によれば、上記のように、取付部分が電源カバーとベース部材の間にアダプタ受け部材を挟んで構成され、このアダプタ受け部材は、電源カバーの電源カバー背面壁より前面側に向かって縮閉するように傾斜状をなして設けられた電源カバー内側壁により形成された電源カバー内縁部に固定されているため、金属材の電源カバーとベース部材の絞り加工の作業量を削減することができ、工数とコストの削減をすることができる実益がある。
【００２６】
この場合、本発明によれば、上記のように、合成樹脂から形成されたアダプタ受け部材を、金属材により作成されている電源カバーとベース部材との間に挟んでいるため、強度と軽量化の両方を兼ね備えることができる実益がある。
【００２７】
同時に、本発明によれば、上記のように、点灯基板が電源カバーの前面に配設されているため、他の基板との熱相互作用を避けて放熱効率を向上することができる実益がある。
【００２８】
また、本発明によれば、上記のように、ＬＥＤ基板は、部分的に点灯基板と直交する方向において位置するようにベース部材に配設されているため、ＬＥＤ照明装置の直径を小さくして省スペース化によりＬＥＤ照明装置をコンパクトにすることができ、コストを低減することができる実益がある。
【００２９】
また、本発明によれば、上記のように、ベース部材にリブが設けられているため、ベース部材の強度を上げることができ、ベース部材の材料の厚みを薄くしても充分な強度を確保することができるので、コストを低減することができる実益がある。
【００３０】
また、本発明によれば、上記のように、取付部分にセンターカバーが取り付けられて、センターカバー蓋の片側が固定されているので、ＬＥＤ照明装置取り付け時におけるセンターカバー蓋の落下の不安をなくすことができ、回動で固定できるので取り付けが簡単にできる実益がある。
【００３１】
また、本発明によれば、上記のように、センターカバー蓋の中央に常夜灯が配設されているため、影が出にくく全面で均一に光を出射することができる実益がある。
【００３２】
また、本発明によれば、上記のように、上記のように、チャンネルスイッチ、受光部、と常夜灯の各部品が、センターカバー蓋の裏側に設けられた基板に、一体化されて配設されているため、工数とコストを削減することができる実益がある。
【００３３】
更に、本発明によれば、上記のように、ＬＥＤ基板は、略サークル状の形状を有するＬＥＤ基板の中心部側で隣接する他のＬＥＤ基板と互いに接続されているため、配線の長さを短くすることができコストダウンを図ることができる実益がある
【００３４】
更に、本発明によれば、上記のように、透光性カバーの外形がベース部材の外形よりも大きく構成されているので、金属材のベース部材の直径を小さく設定することができ、軽量化とコストダウンを達成することができる実益がある
【図面の簡単な説明】
【００３５】
【図１】本発明のＬＥＤ照明装置の被照射面側から見た取り付け前外観斜視図である。
【図２】本発明のＬＥＤ照明装置の垂直断面図である。
【図３】本発明のＬＥＤ照明装置の分解斜視図である。
【図４】本発明のＬＥＤ照明装置の透光性カバーを外した状態の平面図である。
【図５】本発明に用いられるベース部材の斜視図である。
【図６】本発明に用いられるベース部材の一部破断断面図である。
【図７】本発明に用いられる電源カバーの斜視図である。
【図８】本発明に用いられる電源カバーの断面図である。
【図９】本実施形態に係わるアダプタの斜視図である。
【図１０】本発明に用いられる取付部分の断面図である。
【図１１】本発明に用いられるアダプタ受け部材の斜視図である。
【図１２】本発明に用いられるアダプタ受け部材の断面図である。
【図１３】本発明に用いられるセンターカバーの斜視図である。
【図１４】本発明に用いられるセンターカバーの断面図である。
【図１５】本発明に用いられるセンター基板の斜視図である。
【図１６】本発明に用いられるＬＥＤ基板の平面図である。
【図１７】本発明に用いられる保護カバーの平面図である。
【図１８】本発明に用いられる保護カバーの斜視図である。
【図１９】本発明に用いられる枠体の斜視図である。
【図２０】本発明に用いられる枠体の断面図である。
【図２１】本発明に用いられる透光性カバーの斜視図である。
【図２２】本発明に用いられる透光性カバーの断面図である。
【図２３】本発明のＬＥＤ照明装置の一部拡大断面図である。
【発明を実施するための形態】
【００３６】
以下に本発明の好適な実施の形態について、図面を参照しながら詳細に説明する。なお本実施形態は一例であり、これに限定されるものではない。
【００３７】
図１乃至図３は、本発明の照明装置１００の実施の形態の一つを示し、この本実施形態に係わる照明装置１００は、図１乃至図３に示すように、ＬＥＤランプ本体１と、このランプ本体１に取り付けられる透光性カバー３とから成り、天井面５にあらかじめ設置されているロゼットや引掛シーリングボディ等の配線器具７に、電気的かつ機械的に接続されるアダプタ６を備え、さらにアダプタ６にＬＥＤランプ本体１が着脱自在に装着される。天井面５にＬＥＤ照明装置１００が装着されるときに、電源カバー１９の天井面側に取付けられているポリウレタン等の弾性部材１２を、押し込みながらアダプタ６とＬＥＤランプ本体１の取付部分１１が接続される。その後、ＬＥＤランプ本体１に、枠体４と透光性カバー３を取り付けて、ＬＥＤ照明装置１００はシーリングライトとして使用可能となる。弾性部材１２は、ＬＥＤ照明装置１００と天井面５の両方に接触しており、ＬＥＤ照明装置１００の位置ずれや振動を防止することができる。被取付部としての配線器具７が天井面５に設けられていれば、天井に特別な補強を施すことがないので、施工性良くＬＥＤ照明装置１００を取付けることができる。
【００３８】
（１．ＬＥＤランプ本体）
ＬＥＤランプ本体１は、図３及び図４に示すように、ベース部材１０と、このベース部材１０を天井面５等の被取付部の配線器具７に取り付けられたアダプタ６に取付ける取付部分１１と、このベース部材１０の背面側に設置された電源カバー１９と、この電源カバー１９に配設される点灯基板１３からなっている。また、ＬＥＤランプ本体１は、図３及び図４に示すように、この取付部分１１よりも外周側においてベース部材１０の前面に配設されるＬＥＤ基板１４と、このＬＥＤ基板１４に実装されるＬＥＤ素子１５と、このＬＥＤ基板１４を覆う保護カバー２０をも有している。
【００３９】
（１．−１  ベース部材）
ＬＥＤランプ本体１のベース部材１０は、冷間圧延鋼板（ＳＰＣＣ）等の金属材料を使用して、打抜加工、プレス加工、折曲加工等によって作成される。ベース部材１０は、図２乃至図６に示すように、円盤形状で、特に図５に示すように中心部に円形のベース部材取付部１０ａが開口し、特に図２に示すように、このベース部材取付部１０ａには、取付部分１１が外部より目視出来ないように、センターカバー１８が、前面側に形成されている。
【００４０】
また、ベース部材１０には、図５及び図６に示すように、ＬＥＤランプ本体１の厚み方向においてＬＥＤランプ本体１を貫くようにＬＥＤランプ本体１と直交する中心軸を中心とする略円形の形状を有する周方向リブ１６と、ＬＥＤランプ本体１の厚み方向においてＬＥＤランプ本体１を貫くようにＬＥＤランプ本体１と直交する中心軸からＬＥＤランプ本体１の外周に向けて延びる放射線上に設けられている放射方向リブ１７とが形成されている。この周方向リブ１６は、図５及び図６に示すように、環状に加工された中央部側リブ１６ａ、内部側リブ１６ｂと周縁部側リブ１６ｃから成っている。これらのリブ１６、１７を設けることにより、ベース部材１０の強度を補強することができ、ベース部材１０を構成する金属材料の厚みを薄くすることが可能になり、軽量化とコストダウンを実現することができとともに、放熱面積を増加することができる。さらに、後述する保護カバー２０は、周縁部側リブ１６ｃの前面側凹形状の端部と保護カバー２０の外周部２０ｂの略Ｌ字形状部分が嵌装されて、ベース部材１０に保護カバー固定孔２０ｅを用いて固定される。これにより、保護カバー２０内に粉塵や虫等が侵入するのを防止する機能も有する。
【００４１】
（１．−２  電源カバー）
電源カバー１９は、図７及び図８に示すように、冷間圧延鋼板（ＳＰＣＣ）等の金属材料を使用して、打抜加工、プレス加工、折曲加工等によって略円環状に作成される。この電源カバー１９は、図７及び図８に示す電源カバー外縁部１９ｂを、ベース部材１０の背面に取り付けることにより、ベース部材１０に取り付けられる。具体的には、電源カバー外縁部１９ｂは、ベース部材１０の内部側リブ１６ｂの背面側の凸部に固定され、電源カバー内縁部１９ａは、取付部分１１のアダプタ受け部材１１ａに固定される。また、電源カバー１９の電源カバー外側壁１９ｅは、図７及び図８に示すように、前面側に向かって拡開するように傾斜状をなしており、電源カバー背面壁１９ｃの中央部には電源カバー開口部１９ｆが形成されて、電源カバー開口部１９ｆは、電源カバー背面壁１９ｃより前面側に向かって縮閉するように傾斜状をなして電源カバー内側壁１９ｄが設けられている。
【００４２】
（１．−３  点灯基板）
点灯基板１３は、図２、図３及び図２３に示すように、配線器具７からの交流電流を直流に変換してＬＥＤ基板１４に供給するために、電源カバー１９の電源カバー背面壁１９ｃの前面側に、円弧状に配設されている。点灯基板１３は、電子部品１３ａが片面に配線された紙フェノール基板（ＦＲ−１）で構成されている。点灯基板１３の電子部品１３ａが搭載されていない裏面を、電源カバー１９の前面側に配設することにより、点灯基板１３から発生する熱を、電源カバー１９を介して放熱することが可能となる。なお、この点灯基板１３を構成する電子部品１３ａは、過電流保護、ノイズカット、整流、平滑、調光制御などを行うための各種ダイオード、コンデンサ、ＩＣ、抵抗などの公知の電子部品である。
【００４３】
（１．−４  取付部分）
取付部分１１は、アダプタ６が挿通し係合するアダプタガイド部分であり、ＬＥＤランプ本体１をアダプタ６に、取り付ける部分である。この取付部分１１は、図１０に示すように、アダプタ６を挿入することができる開口空間を形成する電源カバー開口部１９ｆと、ベース部材１０のベース部材取付部１０ａと、本発明においては、更に、電源カバー１９とベース部材１０との間に挟まれるアダプタ受け部材１１ａとから成っている。この取付部分１１は、図９に示すアダプタ６の係止部６ａを、ＬＥＤランプ本体１を接続するアダプタ受け部材１１ａのアダプタ係止挿入部１１ｂで受けて、固定する。アダプタ受け部材１１ａは、図１０乃至図１２に示すように、電源カバー１９の内縁部１９ａとベース部材１０のベース部材取付部１０ａの間に嵌装されて図示しないネジにより固定されることにより、電源カバー１９とベース部材１０との間に挟まれる。
【００４４】
アダプタ６は、図９に示すように、天井面５に設置された配線器具７に、上面側に設けられた引掛刃６ｂによって電気的かつ機械的に接続されるもので略円筒状をなし、配線器具７に差し込み、回動して固定される。固定を保持させるために、アダプタ６の上面側に止め具６ｃが設けられている。止め具６ｃは、周壁のボタン６ｄを押入操作することにより解除されるようになっている。アダプタ６の周壁の両側には、一対の係止部６ａが内蔵されたスプリングによって、常時外周側へ突出するように設けられている。この係止部６ａは、下面側に設けられたレバーを操作することにより没入するようになっている。また、このアダプタ６からは、点灯基板１３へ接続する図示しない電源コードが導出されていて、点灯基板１３とコネクタを介して接続されるようになっている。
【００４５】
さらに、アダプタ受け部材１１ａには、図１１及び図１２に示すように、アダプタ６からの商用電源を点灯基板１３に送るための配線と、点灯基板１３からＬＥＤ基板１４とセンター基板１８ｊへの配線を通すためのアダプタ受け部材配線孔１１ｅが２箇所設けられている。この２つのアダプタ受け部材配線孔１１ｅの端部は、配線が金属材のベース部材配線孔１０ｂに接触しないように、アダプタ受け部配線孔１１ｅの周囲を凸形状としている。これにより、配線が金属材のベース部材配線孔１０ｂに接触することがないので、配線の外的損傷を防ぐことができる。
【００４６】
また、このアダプタ受け部材１１ａは、例えば、ポリカーボネイト（ＰＣ）等の熱可塑性合成樹脂から形成されている。この場合、取付部分１１には、ＬＥＤ照明装置１００の着脱時に大きな力が掛かるために、強度的に強い金属材等により構成されていることが多いところ、本発明では、この合成樹脂材から成るアダプタ受け部材１１ａを、金属材により作成されている電源カバー１９の電源カバー内縁部１９ａとベース部材１０のベース部材取付部１０ａで挟んでいるため、強度と軽量化の両方を兼ね備えることができる構造となっている。具体的には、アダプタ受け部材１１ａは、そのアダプタ背面開口部１１ｄを、電源カバー開口部１９ｆに嵌装して、電源カバー開口部１９ｆ側よりアダプタ受け部材固定孔１１ｆにネジを挿通することにより、電源カバー１９に固定される。一方、アダプタ受け部材１１ａは、そのアダプタ前面開口部１１ｃを、ベース部材取付部１０ａに嵌装して、ベース部材取付部１０ａ側よりネジを挿通することにより、ベース部材１０に固定される。これにより、アダプタ受け部材１１ａは、図１０に示すように、電源カバー１９とベース部材１０との間に挟まれる。
【００４７】
また、金属材の電源カバー１９とベース部材１０の間に、合成樹脂材のアダプタ受け部材１１ａを介在することにより、電源カバー内縁部１９ａとベース部材取付部１０ａを作成する金属材の絞り加工による曲げ加工量を抑えることが可能となり、工数とコストの削減も可能とすることができる。
【００４８】
（１．−５  センターカバー）
センターカバー１８は、図２乃至図３、図１０、図１３乃至図１５に示すように、円盤形状で、特に図１４に示すように、一方面の中心部に円形のセンターカバー開口部１８ｃが開口し、センターカバー開口部１８ｃに対向する他方面にセンターカバー蓋１８ｂが形成されている。取付部分１１とセンターカバー開口部１８ｃは、合わせて嵌装されて、ベース部材１０に固定される。センターカバー１８は、ベース部材１０に取り付けられたセンターカバー本体１８ａに、一方端部がセンターカバーヒンジ部１８ｅで嵌合されて回動できるセンターカバー蓋１８ｂが取付けられて構成されている。センターカバー本体１８ａに、センターカバー蓋１８ｂの他方端で、センターカバーロック部１８ｆをセンターカバー本体１８ａの凹部形状のセンターカバー挿入部１８ｄに挿入して、センターカバー蓋１８ｂが固定される。
【００４９】
また、図１４に示すように、センターカバー本体１８ａのベース部材１０に取付けられる内側や、センターカバー蓋１８ｂの内側には、センターカバーリブ１８ｐが設けられている。センターカバーリブ１８ｐをセンターカバー１８に設けることにより、強度を確保した上での軽量化を、実現することができる。センターカバー本体１８ａとセンターカバー蓋１８ｂとが嵌装する面において、センターカバー本体１８ａ側には凸部が形成されており、センターカバー蓋１８ｂ側のパッキンが挿入されている凹部と嵌装されている。これにより、センターカバー１８から粉塵や虫等がＬＥＤ基板１４内に侵入するのを防いでいる。
【００５０】
さらに、センターカバー蓋１８ｂの裏面には、図１３及び図１４に示すように、外部からのリモートコントローラ（以下リモコンと略す）の信号を受光する受光部１８ｈと、リモコンからの信号を受光するチャンネルを切換えるためのチャンネルスイッチ１８ｇと、常夜灯１８ｋが、一つのセンター基板１８ｊに搭載されて固定されている。センター基板１８ｊに固定されている、受光部１８ｈ、チャンネルスイッチ１８ｇ、常夜灯１８ｋは、センターカバー蓋１８ｂの前面に延出している中心部に設けられたチャネル窓１８ｒ、常夜灯窓１８ｔ、受光窓１８ｓに対応するように、センター基板１８ｊに配置されている。
【００５１】
常夜灯１８ｋは、センターカバー蓋１８ｂの中央に配設されており、これにより、影が出にくく全面で均一に光を出射することができる。このチャンネルスイッチ１８ｇは、例えば同じ部屋において同じ周波数を使用するリモコンがある場合に、他のリモコンの操作により動作してしまう誤動作を防ぐために設けられている。センター基板１８ｊは、センター基板カバー１８ｎにより、センターカバー蓋１８ｂに固定されている。センター基板１８ｊのセンターコネクタ１８ｍからの配線は、図示しないが、センターカバーヒンジ部１８ｅ近傍のセンターカバー配線孔１８ｑと、アダプタ受け部材配線孔１１ｅと、ベース部材配線孔１０ｂを通り点灯基板１３に接続されている。これにより、短い配線長により配線が可能になり、配線にかかる負荷も少ない配線とすることができる。
【００５２】
（１．−６  ＬＥＤ基板）
ＬＥＤ基板１４は、図３、図４、図１６及び図２３に示すように、所定の幅寸法を有した円弧形状の８枚の基板が基板接続線１４ｂによりつなぎ合わされるように配設されて全体として略サークル状に形成されている。このＬＥＤ基板１４は、片面に配線されたガラスコンポジット基板（ＣＥＨ−３）から成り、片面側にＬＥＤ素子１５と電子部品１４ｄが実装されている。このように分割された基板を用いることにより、基板の分割部分で熱的収縮を吸収して基板の変形を抑制することができる。また、このＬＥＤ基板１４は、特に図２３に示すように、部分的に点灯基板１３と直交する方向において位置するように、即ち、点灯基板１３と垂直方向において部分的に重なるように、ベース部材１０に配設されている。このため、ＬＥＤ照明装置１００の直径を小さくして省スペース化によりＬＥＤ照明装置１００をコンパクトにすることができ、コストを低減することができる。
【００５３】
また、このＬＥＤ基板１５には、図４に示すように、ＬＥＤ素子１４が、ベース部材１０の垂直方向中心軸に対し、複数の円周上に配置され、一つの円周上のＬＥＤ素子１５が他の円周上のＬＥＤ素子１５と、千鳥状の関係を構成するように配置されている。それにより、ＬＥＤ基板１４は、透光性カバー３が均一な明るさになる基板を構成し、ベース部材１０に固定されている。ＬＥＤ基板１４のＬＥＤ素子１５が搭載されていない裏面側を、ベース部材１０に固定されて熱的に結合されていることにより、ＬＥＤ基板１４から発生する熱をベース部材１０により放熱することが可能となる。これにより、ＬＥＤ素子１５の効率を高めることもできるようになる。なお、ＬＥＤ素子１５のＬＥＤ素子搭載面側に、高反射シートを貼合することや、高反射用樹脂を塗布することにより、さらに光取り出し効率の改善することができる。
【００５４】
ＬＥＤ基板１４は、図１６に示すように、ＬＥＤ素子１５が搭載されていない略サークル形状の中心部側で隣接するＬＥＤ基板１４と基板接続線１４ｂにより接続されて、円環状に配設されている。基板接続線１４ｂの両端部は、各基板に半田で接続されＬＥＤ素子１５に駆動用の電気を送っている。このＬＥＤ基板１４の１つに、点灯基板１３からの配線を接続する基板コネクタ１４ｃが設けられている。基板コネクタ１４ｃは、中心部側に配置されているので点灯基板１３から取付部分１１を通っての電源供給が行い易く、ＬＥＤ基板内の配線長を最短にできる構成をとることができる。
【００５５】
また、図１６に示すように、ＬＥＤ基板１４の隣接する他のＬＥＤ基板１４と対向する端部の外周側に近い部分に、それぞれのＬＥＤ基板１４に略半円状の基板凹部１４ａが２箇所設けられている。この基板凹部１４ａは、電源カバー１９をベース部材１０に固定するためのネジが、内部側リブ１６ｂに挿入されている部分で、ネジとＬＥＤ基板１４との距離を摂ることにより、ＬＥＤ基板１４の絶縁延命距離を保つ役割を有する。
【００５６】
（１．−７  ＬＥＤ素子）
なお、このＬＥＤ基板１４に実装されるＬＥＤ素子１５としては、公知の種々のＬＥＤを用いることができる。本実施形態では、照明用の白色光を発光する高輝度タイプのＬＥＤ素子と、昼光色を発光する高輝度タイプのＬＥＤ素子が用いられて、調色が可能なＬＥＤ照明装置の構成となっている。
【００５７】
（１．−８  保護カバー）
保護カバー２０は、図２乃至図４、図１７及び図１８に示すように、２つのＬＥＤ基板１４を一つの保護カバー２０で覆うような円弧形状で作成されており、保護カバー２０を４個組み合わせて、８枚のＬＥＤ基板１４を覆うように構成され、全体として略サークル状に形成されてベース部材１０に配設される。
【００５８】
保護カバー２０は、図１７及び図１８に示すように、円弧形状で、円弧の外周部である保護カバー外周部２０ｂと、内周部である保護カバー内周部２０ａと、円弧の円周方向における両端部に設けられた他の保護カバー２０と接続する保護カバー挿入端部２０ｃ、保護カバー受け端部２０ｄの部分からなる。この保護カバー挿入端部２０ｃを、隣接する保護カバーの保護カバー受け端部２０ｄに、挿入することにより、４個の保護カバー２０を用いて略サークル状に構成できる。保護カバー外周部２０ｂは、ベース部材１０の前面の周縁部側リブ１６ｃの凹形状と嵌装させることにより隙間をなくして、保護カバー固定孔２０ｅによりベース部材１０に固定される。保護カバー内周部２０ａは、センターカバー１８をベース部材１０に固定するとき、センターカバー本体１８ａの背面側に配置されていることによって、センターカバー１８によりベース部材１０に一緒に固定される。
【００５９】
この保護カバー２０によりＬＥＤ素子１５が保護されて、ＬＥＤ照明装置１００をアダプタ６に取り付けるときに、作業者の安全を確保でき、さらにＬＥＤ素子１５を接触による破損から保護することが可能となる。また、保護カバー２０は、互いに嵌装させて構成しているうえに、ベース部材１０とも嵌装して固定されているので、ＬＥＤ素子１５に、粉塵や虫等が侵入するのを防ぐ効果も併せて生じさせることができる。さらに、同様の効果を維持させるために、保護カバー２０内にＬＥＤ基板１４のための配線を行うときには、配線にスポンジを巻いて保護カバー２０との隙間を埋める処置が施されている。
【００６０】
また、この保護カバー２０は、０．８ｍｍの厚さのポリプロピレン（ＰＰ）等の熱可塑性合成樹脂で作成されており、形状が保護カバーの断面曲線を少なくとも１回微分した値の微分曲線が連続する微分曲面から形成されている。これにより、保護カバーの断面の屈折率の相違により保護カバーを透過したＬＥＤ素子からの出射光の分布に不均一が生じて、ＬＥＤ素子からの出射光が透光性カバーを透過する際に低照度部分が発生しないようにすることができる。また、保護カバー２０には、低照度による稜線状の影が生じないように形成されている。この保護カバー２０は、透光性カバー３の１．２ｍｍの厚さに比較して薄く作成されて、出射光の減衰を少なくなるようにしている。
【００６１】
（１．−９  ＬＥＤランプ本体の組付）
上述したＬＥＤランプ本体１を構成するベース部材１０、電源カバー１９、点灯基板１３、センターカバー１８、ＬＥＤ基板１４、保護カバー２０の相互の位置関係について、図２３を参照しながら説明する。まず、図２３に示すように、ベース部材１０の背面側に円環状の電源カバー１９に配設された点灯基板１３が、取付部分１１を囲むように配設されている。ベース部材１０の前面側に８枚の円弧状のＬＥＤ基板１４が、取付部分１１を囲むように配設されて、さらにそのＬＥＤ基板１４を覆うように４枚の透明の保護カバー２０が配設されている。ベース部材１０の前面側に、取付部分１１を覆うようにセンターカバー１８が取り付けられている。ＬＥＤ基板１４は、点灯基板１３と垂直方向において部分的に重なるようにベース部材１０に配設されている。これらにより、本発明のＬＥＤ照明装置は、省スペース化することが可能になり、コンパクト化することができ、コスト的にも削減することが可能となる。
【００６２】
（２．透光性カバー）
図２乃至図３に示されるように、透光性カバー３は、枠体４を介してベース部材１０に嵌合されて、ＬＥＤランプ本体１を覆っている。ベース部材１０と透光性カバー３の嵌合の間に、枠体４という部材を介することにより、金属材であるベース部材１０の寸法を小さくして、その分の寸法を合成樹脂材である枠体４により補っている。よって、透光性カバー３の外形は、ベース部材１０の外形よりも大きく構成されている。これにより、重量とコストを削減しても、同様の範囲を全面均一に照射することができるＬＥＤ照明装置１００とすることが可能となる。本実施形態では、枠体４を介して透光性カバー３を配設したが、透光性カバー３自体の外形を大きくして、ベース部材１０と固定する部分を内側に設ける形状とすることにより、対応することもできる。
【００６３】
図１９乃至図２０に示されるように、枠体４は、ＬＥＤランプ本体１の外縁を延出するようにベース部材１０に着脱可能に取付けられるようになっている。具体的には、枠体４を回動することによって、図４に示すように、ベース部材１０に設けられた枠体取付具１０ｃに、枠体４のベース取付部４１を係合することにより取付けられる。図２及び図２３に示すように、枠体４と、ベース部材１０の周縁部は、端部同士に隙間が出ないように固定されている。この枠体４は、汎用ポリスチレン（ＧＰＰＳ）等の熱可塑性合成樹脂を使用して、略円環状に成型されている。枠体４の外縁に設けられた枠の環４３には、環状に凹凸を付けて光が拡散するように加工されている。
【００６４】
図２１乃至図２２に示されるように、透光性カバー３は、ＬＥＤランプ本体１の前面側を覆うように枠体４の外周縁部に着脱可能に取付けられるようになっている。具体的には、透光性カバー３を回動することによって、図２１に示す透光性カバー３に設けられた枠体取付部３１を、図１９及び図２１に示す枠体４の外周縁部に設けられたカバー取付具４２に係合することにより取付けられる。なお、この透光性カバー３の周縁部と枠体４とは、図２、図２３に示すように、端部同士に隙間が出ないように固定されている。これにより、ベース部材１０と枠体４と透光性カバー３の間が密閉されて、ＬＥＤ照明装置１００に粉塵や虫等の侵入を防ぐ効果も合わせて生じさせることができる。
【００６５】
透光性カバー３は、厚さ１．２ｍｍのポリプロピレン（ＰＰ）等の熱可塑性合成樹脂を使用して、図１に示すように、円形のドーム形状に成型されている。また、透光性カバー３は、透光性カバー３を連続した曲面形状にすることや、透光性カバー３に高密度となる光拡散面を形成するシボ加工を施したり、材料に拡散剤を含有させたりして、さらに全面で均一に光らせることができる。
透光性カバー３は、保護カバー２０の厚さ０．８ｍｍに比較して厚く作成されて、出射光を光拡散して全面で均一に光らせるようにしている。
【００６６】
本発明のＬＥＤ照明装置１００は、点灯基板１３を配設した電源カバー１９をベース部材１０の背面に配設しているので、ＬＥＤ基板は、ＬＥＤ基板１４と透光性カバー３の中心部との距離、透光性カバー３の周縁部との距離を均等にして、ＬＥＤ基板１４をベース部材１０に配設することが可能となり、透光性カバー３を全面均一に光らせることができる。
【００６７】
（３．  その他）
以上のように、本実施形態では、取付部分１１が、電源カバー１９とベース部材１０の間にアダプタ受け部材１１ａを挟んで構成されている。これらによってＬＥＤ照明装置は、軽量化とコストダウンでき、良好な意匠性を示している。なお本実施形態では、ＬＥＤランプ本体の形状を円筒形にしたが、これに限定されず断面が４角形等からなる扁平な多角柱であってもよい。さらに、本実施形態では、全面発光タイプのＬＥＤ照明装置にしたが、これに限定されずセンターキャップを有するＬＥＤ照明装置に変形して適用してもよい。
【００６８】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【００６９】
本発明は、リビングや和室、更に、寝室や子供部屋等の各居室や廊下、玄関等の天井面や壁面等に沿って設置されるＬＥＤ照明装置として、広く適用することができる。
【符号の説明】
【００７０】
１：ＬＥＤランプ本体
１０：ベース部材
１０ａ：ベース部材取付部
１０ｂ：ベース部材配線孔
１０ｃ：枠体取付具
１１：取付部分
１１ａ：アダプタ受け部材
１１ｂ：アダプタ係止挿入部
１１ｃ：アダプタ前面開口部
１１ｄ：アダプタ背面開口部
１１ｅ：アダプタ受け部材配線孔
１１ｆ：アダプタ受け部材固定孔
１２：弾性部材
１３：点灯基板
１３ａ：電子部品
１４：ＬＥＤ基板
１４ａ：基板凹部
１４ｂ：基板接続線
１４ｃ：基板コネクタ
１４ｄ：電子部品
１５：ＬＥＤ素子
１６：周方向リブ
１６ａ：中央部側リブ
１６ｂ：内部側リブ
１６ｃ：周縁部側リブ
１７：放射方向リブ
１８：センターカバー
１８ａ：センターカバー本体
１８ｂ：センターカバー蓋
１８ｃ：センターカバー開口部
１８ｄ：センターカバー挿入部
１８ｅ：センターカバーヒンジ部
１８ｆ：センターカバーロック部
１８ｇ：チャンネルスイッチ
１８ｈ：受光部
１８ｊ：センター基板
１８ｋ：常夜灯
１８ｍ：センターコネクタ
１８ｎ：センター基板カバー
１８ｐ：センターカバーリブ
１８ｑ：センターカバー配線孔
１８ｒ：チャネル窓
１８ｓ：受光窓
１８ｔ：常夜灯窓
１９：電源カバー
１９ａ：電源カバー内縁部
１９ｂ：電源カバー外縁部
１９ｃ：電源カバー背面壁
１９ｄ：電源カバー内側壁
１９ｅ：電源カバー外側壁
１９ｆ：電源カバー開口部
２０：保護カバー
２０ａ：保護カバー内周部
２０ｂ：保護カバー外周部
２０ｃ：保護カバー挿入端部
２０ｄ：保護カバー受け端部
２０ｅ：保護カバー固定孔
３：透光性カバー
３１：枠体取付部
４：枠体
４１：ベース取付部
４２：カバー取付具
４３：枠の環
５： 天井面
６： アダプタ
６ａ：係止部
６ｂ：引掛刃
６ｃ：止め具
６ｄ：ボタン
７：配線器具
１００：ＬＥＤ照明装置
【要約】
【課題】コンパクトにするとともに、軽量化とコストダウンを実現することができ、広く均一に照らせる、天井面の配線器具に簡単に取り付けられるＬＥＤ照明装置を提供する。
【解決手段】ＬＥＤ照明装置は、天井面等の被取付部に取り付けられるＬＥＤランプ本体と、このＬＥＤランプ本体を覆う透光性カバーとを備えている。ＬＥＤランプ本体は、ベース部材１０と、このベース部材１０を天井面等の被取付部の配線器具に取り付けられたアダプタに取付ける取付部分１１と、ベース部材１０の背面側に設置された電源カバー１９と、この電源カバー１９に配設される点灯基板１３と、ベース部材１０の前面側に配設されるＬＥＤ素子を実装したＬＥＤ基板１４とから成る。取付部分１１は、電源カバー１９とベース部材１０との間に挟まれるアダプタ受け部材１１ａを有している。このアダプタ受け部材１１ａは、合成樹脂から形成されている。
【選択図】図１０【図１】
0005490951.tif 000002
【図２】
0005490951.tif 000003
【図３】
0005490951.tif 000004
【図４】
0005490951.tif 000005
【図５】
0005490951.tif 000006
【図６】
0005490951.tif 000007
【図７】
0005490951.tif 000008
【図８】
0005490951.tif 000009
【図９】
0005490951.tif 000010
【図１０】
0005490951.tif 000011
【図１１】
0005490951.tif 000012
【図１２】
0005490951.tif 000013
【図１３】
0005490951.tif 000014
【図１４】
0005490951.tif 000015
【図１５】
0005490951.tif 000016
【図１６】
0005490951.tif 000017
【図１７】
0005490951.tif 000018
【図１８】
0005490951.tif 000019
【図１９】
0005490951.tif 000020
【図２０】
0005490951.tif 000021
【図２１】
0005490951.tif 000022
【図２２】
0005490951.tif 000023
【図２３】
0005490951.tif 000024